(57)【特許請求の範囲】
【請求項１】
映像データ及び音声データの少なくとも何れかを記憶する記憶装置であって、  
全体の記憶領域を予め定めた記憶期間に相当する単位記憶期間の数に１を加えた数のパーティションに分割して分割記憶領域を構成する記憶媒体と、
前記単位記憶期間において記憶タイミングが到来すると前記単位記憶期間に対応する前記分割記憶領域に映像データ及び音声データの少なくとも何れかを記憶させるものであって、複数の前記分割記憶領域のうち、最後に記憶処理が行われた分割記憶領域以外の分割記憶領域を選択して、選択した分割記憶領域に、単位記憶期間に対応する映像データ及び音声データの少なくとも何れかを記憶させる記憶処理部と、
前記単位記憶期間に対応する映像データ及び音声データの少なくとも何れかが記憶された分割記憶領域の初期化処理、又は、デフラグメンテーション処理を行う分割記憶領域制御部と、
を備える記憶装置。
【請求項２】
映像データ及び音声データの少なくとも何れかを記憶する記憶装置であって、  
全体の記憶領域を予め定めた記憶期間に相当する単位記憶期間の数に１を加えた数のパーティションに分割して分割記憶領域を構成する記憶媒体と、
前記単位記憶期間において記憶タイミングが到来すると前記単位記憶期間に対応する前記分割記憶領域に映像データ及び音声データの少なくとも何れかを記憶させるものであって、複数の前記分割記憶領域を周期的に選択して、前記選択した分割記憶領域に、単位記憶期間に対応する映像データ及び音声データの少なくとも何れかを記憶させる記憶処理部と、
前記単位記憶期間に対応する映像データ及び音声データの少なくとも何れかが記憶された分割記憶領域の初期化処理、又は、デフラグメンテーション処理を行う分割記憶領域制御部と、
を備える記憶装置。
【請求項３】
前記分割記憶領域制御部は、最も古い単位記憶期間に対応する映像データ及び音声データの少なくとも何れかが記憶された前記分割記憶領域の初期化処理、又は、デフラグメンテーション処理を行う請求項１又は２に記載の記憶装置。
【請求項４】
前記分割記憶領域制御部は、最も古い単位記憶期間に対応する映像データ及び音声データの少なくとも何れかが記憶された前記分割記憶領域が、新たな映像データ及び音声データの記憶に用いられるまでの間に、最も古い単位記憶期間に対応する映像データ及び音声データの少なくとも何れかが記憶された前記分割記憶領域の初期化処理、又は、デフラグメンテーション処理を行う請求項３に記載の記憶装置。
【請求項５】
前記分割記憶領域制御部は、初期化処理済み、又は、デフラグメンテーション処理済みの前記分割記憶領域が１つのみである場合に、最も古い単位記憶期間に対応する映像データ及び音声データの少なくとも何れかが記憶された前記分割記憶領域の初期化処理、又は、デフラグメンテーション処理を行う請求項３又は４に記載の記憶装置。
【請求項６】
前記記憶処理部は、前記最も古い単位記憶期間に対応する映像データ及び音声データの少なくとも何れかを削除し、前記分割記憶領域制御部は、前記最も古い単位記憶期間に対応する映像データ及び音声データの少なくとも何れかが削除された後に、前記最も古い単位記憶期間に対応する映像データ及び音声データの少なくとも何れかが記憶されていた前記分割記憶領域の初期化処理を行う請求項３に記載の記憶装置。
【請求項７】
前記記憶処理部は、前記最も古い単位記憶期間に対応する映像データ及び音声データの少なくとも何れかを外部記憶媒体に記憶させ、前記分割記憶領域制御部は、前記最も古い単位記憶期間に対応する映像データ及び音声データの少なくとも何れかが外部記憶媒体に記憶された後に、前記最も古い単位記憶期間に対応する映像データ及び音声データの少なくとも何れかが記憶された前記分割記憶領域の初期化処理を行う請求項３に記載の記憶装置。
【請求項８】
全体の記憶領域を予め定めた記憶期間に相当する単位記憶期間の数に１を加えた数のパーティションに分割して分割記憶領域を構成する記憶媒体を備え、映像データ及び音声データの少なくとも何れかを記憶するコンピュータに、
前記単位記憶期間において記憶タイミングが到来すると前記単位記憶期間に対応する前記分割記憶領域に映像データ及び音声データの少なくとも何れかを記憶させるものであって、複数の前記分割記憶領域のうち、最後に映像データ及び音声データの少なくとも何れかが記憶された分割記憶領域以外の分割記憶領域を選択して、前記選択した分割記憶領域に、単位記憶期間に対応する映像データ及び音声データの少なくとも何れかを記憶させるステップと、
前記単位記憶期間に対応する映像データ及び音声データの少なくとも何れかが記憶された前記分割記憶領域の初期化処理、又は、デフラグメンテーション処理を行うステップと
を実行させる記憶プログラム。
【請求項９】
全体の記憶領域を予め定めた記憶期間に相当する単位記憶期間の数に１を加えた数のパーティションに分割して分割記憶領域を構成する記憶媒体を備え、映像データ及び音声データの少なくとも何れかを記憶するコンピュータに、
前記単位記憶期間において記憶タイミングが到来すると前記単位記憶期間に対応する前記分割記憶領域に映像データ及び音声データの少なくとも何れかを記憶させるものであって、複数の前記分割記憶領域を周期的に選択して、前記選択した分割記憶領域に、単位記憶期間に対応する映像データ及び音声データの少なくとも何れかを記憶させるステップと、
前記単位記憶期間に対応する映像データ及び音声データの少なくとも何れかが記憶された前記分割記憶領域の初期化処理、又は、デフラグメンテーション処理を行うステップと
を実行させる記憶プログラム。
【請求項１０】
全体の記憶領域を予め定めた記憶期間に相当する単位記憶期間の数に１を加えた数のパーティションに分割して分割記憶領域を構成する記憶媒体を備え、映像データ及び音声データの少なくとも何れかを記憶する記憶装置における制御方法であって、
前記単位記憶期間において記憶タイミングが到来すると前記単位記憶期間に対応する前記分割記憶領域に映像データ及び音声データの少なくとも何れかを記憶させるものであって、複数の前記分割記憶領域のうち、最後に記憶処理が行われた分割記憶領域以外の分割記憶領域を選択して、前記選択した分割記憶領域に、単位記憶期間に対応する映像データ及び音声データの少なくとも何れかを記憶させるステップと、
前記単位記憶期間に対応する映像データ及び音声データの少なくとも何れかが記憶された前記分割記憶領域の初期化処理、又は、デフラグメンテーション処理を行うステップと
を備える制御方法。
【請求項１１】
全体の記憶領域を予め定めた記憶期間に相当する単位記憶期間の数に１を加えた数のパーティションに分割して分割記憶領域を構成する記憶媒体を備え、映像データ及び音声データの少なくとも何れかを記憶する記憶装置における制御方法であって、
前記単位記憶期間において記憶タイミングが到来すると前記単位記憶期間に対応する前記分割記憶領域に映像データ及び音声データの少なくとも何れかを記憶させるものであって、複数の前記分割記憶領域を周期的に選択して、前記選択した分割記憶領域に、単位記憶期間に対応する映像データ及び音声データの少なくとも何れかを記憶させるステップと、
前記単位記憶期間に対応する映像データ及び音声データの少なくとも何れかが記憶された前記分割記憶領域の初期化処理、又は、デフラグメンテーション処理を行うステップと
を備える制御方法。
【発明の詳細な説明】
【技術分野】
【０００１】
本発明は、テレビ放送等の映像データ及び音声データを記憶する記憶装置、記憶プログラム、及び、記憶装置における制御方法に関する。
【背景技術】
【０００２】
テレビ放送の番組の録画を行う録画装置は、記憶媒体であるハードディスクの全記憶領域が複数のパーティションに分割されている。
【０００３】
例えば、特許文献１に記載の技術では、ハードディスク装置の記憶領域が２つのパーティションに分割され、第１のパーティションには、将来書き替えられることのない固定的なファイル（固定ファイル）が格納され、第２のパーティションには将来書き替えが行われるファイル（キャッシュファイル）が格納される。これにより、ファイルの断片化（フラグメンテーション）は、第２のパーティションにおいて主に発生することになり、全体としてはフラグメンテーションの発生範囲が抑えられる。
【先行技術文献】
【特許文献】
【０００４】
【特許文献１】特開２０００−９９３８８号公報
【発明の概要】
【発明が解決しようとする課題】
【０００５】
しかしながら、上述した特許文献１に記載の技術では、第２のパーティションにおけるキャッシュファイルのフラグメンテーションについては防止されない。録画装置において、将来書き換えが行われるキャッシュファイルとは、映像や音声のデータである。このような映像や音声のデータがフラグメンテーションの状態になると、再生時におけるブロックノイズ等の原因となる。
【０００６】
そこで、本発明は、映像データや音声データのフラグメンテーションを適切に防止した、記憶装置、記憶プログラム及び制御方法を提供することを目的とする。
【課題を解決するための手段】
【０００７】
上述した課題を解決するために、本発明は以下のような特徴を有している。本発明の特徴は、映像データ及び音声データの少なくとも何れかを記憶する記憶装置（録画装置１０）であって、全体の記憶領域（全記憶領域２００）を予め定めた記憶期間に相当する単位記憶期間の数に１を加えた数のパーティションに分割して分割記憶領域（パーティション２０１−１乃至パーティション２０１−３２）を構成する記憶媒体（ハードディスク１０４）と、前記単位記憶期間において記憶タイミングが到来すると前記単位記憶期間に対応する前記分割記憶領域に映像データ及び音声データの少なくとも何れかを記憶させるものであって、複数の前記分割記憶領域のうち、最後に記憶処理が行われた分割記憶領域以外の分割記憶領域を選択して、選択した分割記憶領域に、単位記憶期間に対応する映像データ及び音声データの少なくとも何れかを記憶させる記憶処理部（記憶処理部１１２）と、前記単位記憶期間に対応する映像データ及び音声データの少なくとも何れかが記憶された分割記憶領域の初期化処理、又は、デフラグメンテーション処理を行う分割記憶領域制御部（分割記憶領域制御部１１４）とを備えることを要旨とする。
【０００８】
このような記憶装置は、複数の分割記憶領域のうち、最後に記憶処理が行われた分割記憶領域以外の分割記憶領域を選択して、当該選択した分割記憶領域に、単位記憶期間に対応する映像データ及び音声データの少なくとも何れかを記憶させる。一方、記憶装置は、単位記憶期間に対応する映像データや音声データが記憶された分割記憶領域の初期化処理、又は、デフラグメンテーション処理を行う。従って、分割記憶領域に対して、初期化処理、又は、デフラグメンテーション処理が行われることによって、当該分割記憶領域に新たな映像データや音声データを記憶させる際のフラグメンテーションを防止できる。
【０００９】
また、本発明の特徴は、映像データ及び音声データの少なくとも何れかを記憶する記憶装置（録画装置１０）であって、全体の記憶領域（全記憶領域２００）を予め定めた記憶期間に相当する単位記憶期間の数に１を加えた数のパーティションに分割して分割記憶領域（パーティション２０１−１乃至パーティション２０１−３２）を構成する記憶媒体（ハードディスク１０４）と、前記単位記憶期間において記憶タイミングが到来すると前記単位記憶期間に対応する前記分割記憶領域に映像データ及び音声データの少なくとも何れかを記憶させるものであって、複数の前記分割記憶領域を周期的に選択して、前記選択した分割記憶領域に、単位記憶期間に対応する映像データ及び音声データの少なくとも何れかを記憶させる記憶処理部（記憶処理部１１２）と、前記単位記憶期間に対応する映像データ及び音声データの少なくとも何れかが記憶された分割記憶領域の初期化処理、又は、デフラグメンテーション処理を行う分割記憶領域制御部（分割記憶領域制御部１１４）とを備えることを要旨とする。
【００１０】
このような記憶装置は、複数の分割記憶領域を周期的に選択し、その選択した分割記憶領域に単位記憶期間に対応する映像データや音声データを記憶する。一方、記憶装置は、最も古い単位記憶期間に対応する映像データや音声データが記憶された分割記憶領域の初期化処理、又は、デフラグメンテーション処理を行う。従って、分割記憶領域に対して、初期化処理、又は、デフラグメンテーション処理が行われることによって、当該分割記憶領域に新たな映像データや音声データを記憶させる際のフラグメンテーションを防止できる。
【００１１】
本発明の特徴は、前記分割記憶領域制御部は、最も古い単位記憶期間に対応する映像データ及び音声データの少なくとも何れかが記憶された前記分割記憶領域の初期化処理、又は、デフラグメンテーション処理を行うことを要旨とする。
【００１２】
最も古い単位記憶期間に対応する映像データや音声データは、他の映像データや音声データと比較して、保持しておく必要性が低いと考えられる。従って、最も古い単位記憶期間に対応する映像データや音声データが記憶された分割記憶領域を初期化処理、又は、デフラグメンテーション処理の対象とすることにより、可能な限り、必要な映像データや音声データを保持しつつ、フラグメンテーションを防止できる。
【００１３】
本発明の特徴は、前記分割記憶領域制御部は、最も古い単位記憶期間に対応する映像データ及び音声データの少なくとも何れかが記憶された前記分割記憶領域が、新たな映像データ及び音声データの記憶に用いられるまでの間に、最も古い単位記憶期間に対応する映像データ及び音声データの少なくとも何れかが記憶された前記分割記憶領域の初期化処理、又は、デフラグメンテーション処理を行うことを要旨とする。
【００１４】
本発明の特徴は、前記分割記憶領域制御部は、初期化処理済み、又は、デフラグメンテーション処理済みの前記分割記憶領域が１つのみである場合に、最も古い単位記憶期間に対応する映像データ及び音声データの少なくとも何れかが記憶された前記分割記憶領域の初期化処理、又は、デフラグメンテーション処理を行うことを要旨とする。
【００１６】
本発明の特徴は、前記記憶処理部は、前記最も古い単位記憶期間に対応する映像データ及び音声データの少なくとも何れかを削除し、前記分割記憶領域制御部は、前記最も古い単位記憶期間に対応する映像データ及び音声データの少なくとも何れかが削除又は外部記憶媒体に記憶された後に、前記最も古い単位記憶期間に対応する映像データ及び音声データの少なくとも何れかが記憶されていた前記分割記憶領域の初期化処理を行うことを要旨とする。
【００１７】
本発明の特徴は、前記記憶処理部は、前記最も古い単位記憶期間に対応する映像データ及び音声データの少なくとも何れかを外部記憶媒体に記憶させ、前記分割記憶領域制御部は、前記最も古い単位記憶期間に対応する映像データ及び音声データの少なくとも何れかが外部記憶媒体に記憶された後に、前記最も古い単位記憶期間に対応する映像データ及び音声データの少なくとも何れかが記憶された前記分割記憶領域の初期化処理を行うことを要旨とする。
【００１８】
本発明の特徴は、全体の記憶領域を予め定めた記憶期間に相当する単位記憶期間の数に１を加えた数のパーティションに分割して分割記憶領域を構成する記憶媒体を備え、映像データ及び音声データの少なくとも何れかを記憶するコンピュータに、前記単位記憶期間において記憶タイミングが到来すると前記単位記憶期間に対応する前記分割記憶領域に映像データ及び音声データの少なくとも何れかを記憶させるものであって、複数の前記分割記憶領域のうち、最後に映像データ及び音声データの少なくとも何れかが記憶された分割記憶領域以外の分割記憶領域を選択して、前記選択した分割記憶領域に、単位記憶期間に対応する映像データ及び音声データの少なくとも何れかを記憶させるステップと、前記単位記憶期間に対応する映像データ及び音声データの少なくとも何れかが記憶された前記分割記憶領域の初期化処理、又は、デフラグメンテーション処理を行うステップとを実行させる記憶プログラムである。
【００１９】
本発明の特徴は、全体の記憶領域を予め定めた記憶期間に相当する単位記憶期間の数に１を加えた数のパーティションに分割して分割記憶領域を構成する記憶媒体を備え、映像データ及び音声データの少なくとも何れかを記憶するコンピュータに、前記単位記憶期間において記憶タイミングが到来すると前記単位記憶期間に対応する前記分割記憶領域に映像データ及び音声データの少なくとも何れかを記憶させるものであって、複数の前記分割記憶領域を周期的に選択して、前記選択した分割記憶領域に、単位記憶期間に対応する映像データ及び音声データの少なくとも何れかを記憶させるステップと、前記単位記憶期間に対応する映像データ及び音声データの少なくとも何れかが記憶された前記分割記憶領域の初期化処理、又は、デフラグメンテーション処理を行うステップとを実行させる記憶プログラムである。
【００２０】
本発明の特徴は、全体の記憶領域を予め定めた記憶期間に相当する単位記憶期間の数に１を加えた数のパーティションに分割して分割記憶領域を構成する記憶媒体を備え、映像データ及び音声データの少なくとも何れかを記憶する記憶装置における制御方法であって、前記単位記憶期間において記憶タイミングが到来すると前記単位記憶期間に対応する前記分割記憶領域に映像データ及び音声データの少なくとも何れかを記憶させるものであって、複数の前記分割記憶領域のうち、最後に記憶処理が行われた分割記憶領域以外の分割記憶領域を選択して、前記選択した分割記憶領域に、単位記憶期間に対応する映像データ及び音声データの少なくとも何れかを記憶させるステップと、前記単位記憶期間に対応する映像データ及び音声データの少なくとも何れかが記憶された前記分割記憶領域の初期化処理、又は、デフラグメンテーション処理を行うステップとを備えることを要旨とする。
【００２１】
本発明の特徴は、全体の記憶領域を予め定めた記憶期間に相当する単位記憶期間の数に１を加えた数のパーティションに分割して分割記憶領域を構成する記憶媒体を備え、映像データ及び音声データの少なくとも何れかを記憶する記憶装置における制御方法であって、前記単位記憶期間において記憶タイミングが到来すると前記単位記憶期間に対応する前記分割記憶領域に映像データ及び音声データの少なくとも何れかを記憶させるものであって、複数の前記分割記憶領域を周期的に選択して、前記選択した分割記憶領域に、単位記憶期間に対応する映像データ及び音声データの少なくとも何れかを記憶させるステップと、前記単位記憶期間に対応する映像データ及び音声データの少なくとも何れかが記憶された前記分割記憶領域の初期化処理、又は、デフラグメンテーション処理を行うステップとを備えることを要旨とする。
【発明の効果】
【００２２】
本発明によれば、映像データや音声データのフラグメンテーションを適切に防止できる。
【図面の簡単な説明】
【００２３】
【図１】本実施形態に係る記憶システムの概略構成を示す図である。
【図２】本実施形態に係る録画装置の詳細構成を示すブロック図である。
【図３】ハードディスクの記憶領域の一例を示す図である。
【図４】分割記憶領域の管理テーブルの一例を示す図である。
【図５】本実施形態に係る録画装置の第１の動作を示すフローチャートである。
【図６】本実施形態に係る録画装置の第２の動作を示すフローチャートである。
【発明を実施するための形態】
【００２４】
（１）記憶システムの概略構成
図１を参照して、本実施形態に係る記憶システムの概略構成を説明する。図１は、本実施形態に係る記憶システム１の概略構成を示す説明図である。図１に示すように、記憶システム１は、録画装置１０と、デジタル放送受像装置２０とを含んで構成される。記憶システム１は、家屋内に構成される。
【００２５】
録画装置１０は、アンテナ４０が接続され、当該アンテナ４０を介してデジタル放送信号を受信する。録画装置１０は、ＬＡＮ（Local Area Network）ケーブルである通信回線３０を介してデジタル放送受像装置２０を接続する。
【００２６】
（２）録画装置の構成
図２は、録画装置１０の詳細構成を示すブロック図である。
【００２７】
図２に示す録画装置１０は、デジタル放送信号から得られる映像データ及び音声データを３１日分記憶可能な装置である。録画装置１０は、制御部１０２、ハードディスク１０４、メモリ１０６、ネットワークインタフェースカード（ＮＩＣ）１０８、ＤＶＤ（Digital Versatile Disc）ライタ１０９、操作部１１１を含む。
【００２８】
制御部１０２は、例えばＣＰＵによって構成され、録画装置１０が具備する各種機能を制御する。制御部１０２は、記憶処理部１１２及びパーティション制御部１１４を有する。ハードディスク１０４は、デジタル放送信号から得られる映像データ及び音声データを記憶する。メモリ１０６は、例えば、ＤＤＲ−ＳＲＡＭであり、録画装置１０が具備する各種機能を実現するために必要な情報を記憶している。ＮＩＣ１０８は、通信回線３０に接続される。ＮＩＣ１０８は、ＩＥＥＥ８０２．１１ｂ、ＩＥＥＥ８０２．１１ｇ及びＩＥＥＥ８０２．１１ｎ等の規格に対応しており、ハードディスク１０４に記憶された映像データ及び音声データを、通信回線３０を介してデジタル放送受像装置２０へ送信する。ＤＶＤライタ１０９は、ＤＶＤ１１０が挿入され、制御部１０２からの映像データ及び音声データをＤＶＤ１１０に書き込む処理を行う。操作部１１１は、ユーザによる各種操作を受け付け、当該操作に対応する操作信号を制御部１０２へ出力する。
【００２９】
制御部１０２は、チューナの機能を有する。制御部１０２は、アンテナ４０を介して受信されたデジタル放送信号が入力される。本実施形態においては、入力されるデジタル放送信号は、地上デジタル放送、ＢＳデジタル放送、ＣＳデジタル放送の何れかのデジタル放送信号である。制御部１０２は、デジタル放送信号が入力されると、当該デジタル放送信号を復調し、映像信号及び音声信号を取得する。更に、制御部１０２は、映像信号及び音声信号を復号し、映像データ及び音声データを取得する。
【００３０】
制御部１０２内の記憶処理部１１２は、映像データ及び音声データをハードディスク１０４に記憶させるとともに、メモリ１０６に記憶されたパーティション管理テーブルを更新する。
【００３１】
図３は、ハードディスク１０４の記憶領域の一例を示す図である。図４は、パーティション管理テーブルの一例を示す図である。
【００３２】
図３に示すように、ハードディスク１０４の全記憶領域２００は、記憶可能な日数である３１に１を加えた３２個に分割され、パーティション２０１−１乃至パーティション２０１−３２が構成される。パーティション２０１−１乃至パーティション２０１−３２は、それぞれ単位記憶期間である１日に対応し、１日分の映像データ及び音声データを記憶可能である、パーティション２０１−１乃至パーティション２０１−３２は、ＩＤ（＃０１乃至＃３２）により識別される。
【００３３】
図４に示すように、パーティション管理テーブルは、パーティション毎に、当該パーティションのＩＤ、当該パーティションの状態、当該パーティションに映像データ及び音声データが記憶されている場合には、その記憶日とを含んで構成される。
【００３４】
初期状態においては、図３（ａ）に示すように、パーティション２０１−１乃至パーティション２０１−３２は、全て初期化処理又はデフラグメンテーション処理がなされた状態にあり、新たな映像データ及び音声データを記憶可能である。この場合、パーティション管理テーブルは、図４（ａ）に示すものとなる。
【００３５】
記憶処理部１１２は、各日において、当日の記憶タイミング（例えば、録画予約された時刻）が到来すると、パーティション２０１−１乃至パーティション２０１−３２のうち、初期化処理済みのパーティション、又は、デフラグメンテーション処理済みのパーティションを選択する。
【００３６】
この際、初期化処理済みのパーティション、又は、デフラグメンテーション処理済みのパーティションが複数存在する場合には、記憶処理部１１２は、何れかの初期化処理済みのパーティション、又は、デフラグメンテーション処理済みのパーティションを選択する。本実施形態では、記憶処理部１１２は、過去の日付の映像データ及び音声データのうち、最新の映像データ及び音声データが記憶されたパーティションの次のパーティションを選択する。
【００３７】
記憶処理部１１２は、選択したパーティションに、当日の映像データ及び音声データを記憶させる。また、記憶処理部１１２は、選択したパーティションに対応する、パーティション管理テーブル内のレコードの状態を「記憶済」に更新するとともに、記憶日を設定する。
【００３８】
また、パーティション２０１−１乃至パーティション２０１−３２のうち、初期化処理済みのパーティション、又は、デフラグメンテーション処理済みのパーティションが１つのみであった場合には、記憶処理部１１２による、選択したパーティションに当日の映像データ及び音声データを記憶させる処理と並行して、パーティション制御部１１４は、パーティション管理テーブルに基づいて、最も古い日付に対応する映像データ及び音声データが記憶されたパーティションを選択し、選択したパーティションについて、初期化処理又はデフラグメンテーション処理を行う。また、パーティション制御部１１４は、選択したパーティションに対応する、パーティション管理テーブル内のレコードの状態を「初期化又はデフラグ済み」に更新するとともに、記憶日を削除する。
【００３９】
例えば、図３（ｂ）に示すように、パーティション２０１−１乃至パーティション２０１−３１に、映像データ及び音声データが記憶され、パーティション２０１−３２が初期化処理済み又はデフラグメンテーション処理済みであったとする。この場合、パーティション管理テーブルは、図４（ｂ）に示すものとなる。
【００４０】
図３（ｂ）の場合、初期化処理済み又はデフラグメンテーション処理済みのパーティションは、パーティション２０１−３２のみである。この場合、記憶処理部１１２は、パーティション２０１−３２に、映像データ及び音声データを記憶させる。また、パーティション制御部１１４は、図４（ｂ）に示すパーティション参照テーブルに基づいて、最も古い日付に対応する映像データ及び音声データである１月１日付けの映像データ及び音声データが記憶されたＩＤ＃０１のパーティション２０１−１を選択する。更に、パーティション制御部１１４は、選択したパーティション２０１−１について、初期化処理又はデフラグメンテーション処理を行う。この結果、図３（ｃ）に示すように、パーティション２０１−２乃至パーティション２０１−３２に、映像データ及び音声データが記憶され、パーティション２０１−１が初期化処理済み又はデフラグメンテーション処理済みとなる。また、パーティション管理テーブルは、図４（ｃ）に示すものとなる。
【００４１】
なお、最も古い日付に対応する映像データ及び音声データが記憶されたパーティションについて、初期化処理が行われる場合には、当該初期化処理の前に、記憶処理部１１２は、最も古い日付に対応する映像データ及び音声データが記憶されたパーティションから、当該最も古い日付に対応する映像データ及び音声データを削除する。パーティション制御部１１４は、削除後に、初期化処理を行う。
【００４２】
なお、記憶処理部１１２は、最も古い日付に対応する映像データ及び音声データが記憶されたパーティションから、当該最も古い日付に対応する映像データ及び音声データを読み出し、ＤＶＤライタ１０９へ出力してもよい。この場合、ＤＶＤライタ１０９は、入力された、最も古い日付に対応する映像データ及び音声データをＤＶＤ１１０に書き込む。パーティション制御部１１４は、ＤＶＤ１１０に対する書き込み後に、初期化処理を行う。
【００４３】
（３）録画装置の動作
図５は、録画装置１０の第１の動作を示すフローチャートである。
【００４４】
ステップＳ１０１において、記憶処理部１１２は、当日の記憶タイミングが到来したか否かを判定する。当日の記憶タイミングが到来すると、ステップＳ１０２において、記憶処理部１１２は、初期化処理済みのパーティションが１つのみであるか否かを判定する。
【００４５】
初期化処理済みのパーティションが１つのみである場合、ステップＳ１０３において、記憶処理部１１２は、当該初期化処理済みのパーティションを選択する。ステップＳ１０４において、記憶処理部１１２は、ステップＳ１０３において選択したパーティションに、当日の映像データ及び音声データを記憶させる。
【００４６】
ステップＳ１０５において、パーティション制御部１１４は、ハードディスク１０４に記憶された映像データ及び音声データのうち、最も古い日付の映像データ及び音声データを削除する。
【００４７】
ステップＳ１０６において、パーティション制御部１１４は、最も古い日付の映像データ及び音声データが削除されたパーティションについて、初期化処理を行う。
【００４８】
ステップＳ１０６の後、ステップＳ１０９において、記憶処理部１１２及びパーティション制御部１１４は、パーティション管理テーブルを更新する。
【００４９】
一方、ステップＳ１０２において、初期化処理済みのパーティションが１つでないと判定された場合、ステップＳ１０７において、記憶処理部１１２は、過去の日付の映像データ及び音声データのうち、最新の映像データ及び音声データが記憶されたパーティションの次のパーティションを選択する。
【００５０】
ステップＳ１０８において、記憶処理部１１２は、ステップＳ１０７において選択したパーティションに、当日の映像データ及び音声データを記憶させる。
【００５１】
ステップＳ１０８の後、ステップＳ１０９において、記憶処理部１１２は、パーティション管理テーブルを更新する。
【００５２】
図６は、録画装置１０の第２の動作を示すフローチャートである。
【００５３】
ステップＳ２０１において、記憶処理部１１２は、当日の記憶タイミングが到来したか否かを判定する。当日の記憶タイミングが到来すると、ステップＳ２０２において、記憶処理部１１２は、デフラグメンテーション処理済みのパーティションが１つのみであるか否かを判定する。
【００５４】
デフラグメンテーション処理済みのパーティションが１つのみである場合、ステップＳ２０３において、記憶処理部１１２は、当該デフラグメンテーション処理済みのパーティションを選択する。ステップＳ２０４において、記憶処理部１１２は、ステップＳ２０３において選択したパーティションに、当日の映像データ及び音声データを記憶させる。
【００５５】
ステップＳ２０６において、パーティション制御部１１４は、ハードディスク１０４に記憶された映像データ及び音声データのうち、最も古い日付の映像データ及び音声データが記憶されたパーティションについて、デフラグメンテーション処理を行う。
【００５６】
ステップＳ２０６の後、ステップＳ２０９において、記憶処理部１１２及びパーティション制御部１１４は、パーティション管理テーブルを更新する。
【００５７】
一方、ステップＳ２０２において、デフラグメンテーション処理済みのパーティションが１つでないと判定された場合、ステップＳ２０７において、記憶処理部１１２は、過去の日付の映像データ及び音声データのうち、最新の映像データ及び音声データが記憶されたパーティションの次のパーティションを選択する。
【００５８】
ステップＳ２０８において、記憶処理部１１２は、ステップＳ２０７において選択したパーティションに、当日の映像データ及び音声データを記憶させる。
【００５９】
ステップＳ２０８の後、ステップＳ２０９において、記憶処理部１１２は、パーティション管理テーブルを更新する。
【００６０】
（４）作用・効果
本実施形態の記憶システム１では、録画装置１０において、ハードディスク１０４の全記憶領域２００は３２分割され、パーティション２０１−１乃至パーティション２０１−３２が構成される。更に、記憶処理部１１２は、パーティション２０１−１乃至パーティション２０１−３２を周期的に選択し、選択したパーティションに映像データ及び音声データを記憶する。一方、パーティション制御部１１４は、初期化処理済み、又は、デフラグメンテーション処理済みのパーティションが１つのみである場合には、最も古い日付に対応する映像データ及び音声データが記憶されたパーティションの初期化処理、又は、デフラグメンテーション処理を行う。
【００６１】
従って、複数のパーティションに対して、順次、初期化処理、又は、デフラグメンテーション処理が行われることによって、当該パーティションに新たな映像データや音声データを記憶させる際のフラグメンテーションを防止できる。更には、１のパーティションに対する初期化処理又はデフラグメンテーション処理が、当該パーティションが再度、新たな映像データ及び音声データの記憶に用いられるまでの間に行われることで、フラグメンテーション防止の確実性を向上できる。
【００６２】
また、最も古い日付に対応する映像データ及び音声データは、他の映像データ及び音声データと比較して、保持しておく必要性が低いと考えられることに鑑み、最も古い日付に対応する映像データ及び音声データが記憶されたパーティションを初期化処理、又は、デフラグメンテーション処理の対象とすることにより、可能な限り、必要な映像データ及び音声データを保持しつつ、フラグメンテーションを防止できる。
【００６３】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６４】
上述した実施形態では、記憶処理部１１２は、各日において、当日の記憶タイミングが到来すると、パーティション２０１−１乃至パーティション２０１−３２のうち、初期化処理済みのパーティション、又は、デフラグメンテーション処理済みのパーティションを選択した。しかし、記憶処理部１１２は、ユーザの指示に応じて、映像データ及び音声データを記憶させるべきパーティションを選択してもよい。
【００６５】
具体的には、ユーザが操作部１１１によりパーティションを選択する操作を行った場合、記憶処理部１１２は、操作部１１１からのユーザの操作に応じた操作信号を受ける。更に、記憶処理部１１２は、当該操作信号に基づいて、パーティション２０１−１乃至パーティション２０１−３２のうち、何れかのパーティションを選択する。ここで、選択されるパーティションは、最後に記憶処理が行われたパーティション以外のパーティションであることが好ましい。従って、操作信号が最後に記憶処理が行われたパーティションを選択するものである場合には、記憶処理部１１２は、当該操作信号に対応するパーティションを選択しないようにすることが好ましい。
【００６６】
更に、記憶処理部１１２は、上述と同様に、選択したパーティションに、当日の映像データ及び音声データを記憶させる。また、記憶処理部１１２は、選択したパーティションに対応する、パーティション管理テーブル内のレコードの状態を「記憶済」に更新するとともに、記憶日を設定する。
【００６７】
上述した実施形態では、単位記憶期間を１日としたが、１時間、１週間等でもよい。これらの場合においても、全記憶領域２００は、予め定められた記憶期間に相当する単位記憶期間の数に１を加えた数のパーティションに分割される。
【００６８】
また、上述した実施形態では、ＤＶＤ１１０を外部記憶媒体として用いたが、ブルーレイディスクやＳＤメモリカードを外部記憶媒体として用いてもよい。
【００６９】
また、上述した実施形態では、録画装置１０と各デジタル放送受像装置との間がＬＡＮケーブルで接続されるようにしたが、他の通信回線が用いられる場合にも、同様に本発明を適用できる。
【００７０】
また、上述した実施形態では、デジタル放送信号から得られる映像データや音声データが記憶される場合について説明したが、インターネット等をストリーミングで配信される映像データや音声データ、アナログ放送信号から得られる映像データや音声データ等、他の映像データや音声データの記憶においても、同様に本発明を適用できる。
【００７１】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００７２】
１…記憶システム、１０…録画装置、２０…デジタル放送受像装置、３０、３０…通信回線、４０…アンテナ、１０２…制御部、１０４…ハードディスク、１０６…メモリ、１０８…ＮＩＣ、１０９…ＤＶＤライタ、１１０…ＤＶＤ、１１１…操作部、１１２…記憶処理部、１１４…パーティション制御部
【図１】
0005296763.tif 000002
【図２】
0005296763.tif 000003
【図３】
0005296763.tif 000004
【図４】
0005296763.tif 000005
【図５】
0005296763.tif 000006
【図６】
0005296763.tif 000007